(57)【要約】【課題】台紙と物品収納部とからなる簡易な構成であって、厚い台紙を使用しなくても熱融着後の台紙の反りを防止できる包装体を提供する。【解決手段】台紙と該台紙に熱融着された樹脂製の物品収納部とから構成され、該物品収納部の幅が該台紙の幅より狭い包装体であって、該台紙の幅方向に該物品収納部の幅より長く延在する補強手段を有する包装体である。【選択図】図４
2008127064.tif 000002
【特許請求の範囲】
【請求項１】
台紙と該台紙に熱融着された樹脂製の物品収納部とから構成され、該物品収納部の幅が該台紙の幅より狭い包装体であって、該台紙の幅方向に該物品収納部の幅より長く延在する補強手段を有する包装体。
【請求項２】
前記補強手段が前記台紙の一部から構成される請求項１に記載の包装体。
【請求項３】
前記補強手段が前記台紙の上端又は下端の辺を折り曲げて重ねたものである請求項２に記載の包装体。
【発明の詳細な説明】
【技術分野】
【０００１】
本発明は、台紙と台紙に熱融着された樹脂製の物品収納部とから構成される、各種物品を収納する包装体に関する。
【背景技術】
【０００２】
従来より、物品を収納する収納部と台紙とからなる包装体の収納部に物品を収納した後、プラスチックフィルム等からなる蓋状の収納部を台紙に熱接着して封止したブリスター包装体が広く使用されている。
【０００３】
例えば、特許文献１には、物品収容部を構成するブリスターと、物品収容部の開口面を覆う台紙とからなり、前記台紙に係止するための複数の折返し片を有するブリスターパックが開示されているが、ブリスターの幅と台紙の幅とがほぼ同じであるので、ブリスターを台紙に熱融着しても台紙が反ることはない。
【０００４】
しかしながら、図１及び図２に示すように、台紙と台紙に熱融着された樹脂製の物品収納部とから構成され、かつ物品収納部の幅が台紙の幅より狭い包装体においては、物品収納部を台紙に熱融着すると、熱により反りが発生することがあった。
図１は、従来の包装体の一例を示す側面模式図及び背面模式図であり、図１−ａが側面模式図、図１−ｂが背面模式図である。図１において、包装体１は台紙１０と物品収納部２０とから構成され、物品収納部２０の熱融着部２１が台紙１０と熱融着して一体化されている。さらに、台紙１０には、フック用の貫通孔１１が設けられている。また、図１−ｂの包装体１の背面側からは物品収納部２０及び熱融着部２１は見えないので、点線で図示してある。
図２は、従来の包装体の一例を示す斜め上から見た斜視模式図であり、物品収納部２０の熱融着部２１が台紙１０と熱融着した後、熱により台紙１０に反りが発生している。このように台紙１０に反りが発生すると、包装体１に収納された物品の商品名が読みにくくなり、陳列もしにくくなる。さらに物品の商品イメージを損ねることとなるので、顧客吸引力を低下させてしまうという問題があった。
【０００５】
【特許文献１】特開２００１−１９２０６３号公報
【発明の開示】
【発明が解決しようとする課題】
【０００６】
本発明は、台紙と物品収納部とからなる簡易な構成であって、厚い台紙を使用しなくても熱融着後の台紙の反りを防止できる包装体を提供することを課題とする。
【課題を解決するための手段】
【０００７】
本発明は、台紙と該台紙に熱融着された樹脂製の物品収納部とから構成され、該物品収納部の幅が該台紙の幅より狭い包装体であって、該台紙の幅方向に該物品収納部の幅より長く延在する補強手段を有する包装体を提供するものである。
【発明の効果】
【０００８】
本発明により、台紙と物品収納部とからなる簡易な構成であって、厚い台紙を使用しなくても熱融着後の台紙の反りを防止できる包装体を提供することができる。さらに、フック用の貫通孔の周囲を補強できるので、貫通孔からの破損を防止して、陳列耐久性が向上した。
【発明を実施するための最良の形態】
【０００９】
本発明の包装体の実施の態様について、図面を参照して説明する。図３は、本発明の包装体の一態様を示す側面模式図及び背面模式図であり、図３−ａが側面模式図、図３−ｂが図３−ａの側面模式図を右側から見た背面模式図である。図３において、包装体１は台紙１０と物品収納部２０とから構成され、物品収納部２０の熱融着部２１が台紙１０と熱融着して一体化されている。図３−ｂの包装体１の背面側からは物品収納部２０及び熱融着部２１は見えないので、点線で図示してある。
【００１０】
本発明の特徴は、図３に示すように、台紙１０に補強手段１２を設けることである。補強手段１２は、台紙１０の正面及び背面のいずれに設けられていてもよいが、背面に設けられているほうが、外観上好ましく、台紙１０の正面側に商品訴求力を高めるための商品名、商品説明等を表示する面積が増す利点もある。図３−ｂでは、補強手段１２は台紙１０の右端から左端まで延在しているが、台紙１０の幅方向に物品収納部２０の幅より長く延在していればよい。また、図３では、補強手段１２は台紙１０の上端及び下端に配置されているが、物品収納部２０に、より近い所に配置されていてもよく、物品収納部２０の上側又は下側の一方に配置されていればよい。但し、包装体１に収納された物品の商品名や商品説明を読み易くするためには物品収納部２０の上側に補強手段１２を配置することが好ましい。また、図３のように、補強手段１２が台紙１０の上端及び下端の双方に右端から左端まで延在して配置されていると台紙１０全体の反りを防止することができ特に好ましい。
【００１１】
また、補強手段１２は、台紙の一部から構成されることが製造し易く、生産性向上の観点から好ましい。さらに、補強手段１２が台紙１０の上端又は下端の辺を折り曲げて重ねたものであると、部材準備点数が減り、より生産性が向上するので特に好ましい。ここで、台紙１０を折り曲げて重ねた補強手段１２は、台紙１０表面に必ずしも貼着しなくても補強効果を奏するが、貼着すると補強効果がさらに高くなるので好ましい。
【００１２】
図４は、本発明の包装体１の一態様を示す斜め上から見た斜視模式図である。本発明の包装体１は、上述の補強手段１２を設けることにより、図４に示すように、厚い台紙を使用しなくても熱融着後の台紙の反りを防止できる。
さらに、台紙１０の補強手段１２が配置された部分にフック用の貫通孔１１を設けると貫通孔１１の周囲が補強されるので、陳列時に貫通孔１１からの破損を防止でき、陳列耐久性が向上し、顧客吸引力を低下させることがない。
【００１３】
本発明の包装体１において、台紙１０の上端又は下端の辺を折り曲げて重ねて補強手段１２を形成するためには、台紙１０の折り曲げる部分に半切り（ハーフカット）線やミシン目を付与すると折り曲げ易くなり、生産性が向上し好ましい。
【００１４】
本発明の包装体１に用いられる台紙１０の材料として、通常、紙類又は樹脂フィルムを被覆した紙類が使用される。樹脂フィルムとしては、例えば、ポリエチレン、ポリプロピレン等のポリオレフィン；ポリエチレンテレフタレート、ポリブチレンテレフタレート等のポリエステル；ナイロン６、ナイロン６６等のポリアミド等の樹脂フィルムが挙げられる。また、所望により、台紙１０の材料として上記の樹脂フィルムを用いてもよい。
【００１５】
本発明の包装体１に用いられる物品収納部２０は樹脂製であり、例えば、ポリエチレン、ポリプロピレン等のポリオレフィン；ポリエチレンテレフタレート、ポリブチレンテレフタレート等のポリエステル；ナイロン６、ナイロン６６等のポリアミド等の樹脂フィルムが挙げられる。また、所望により収納される物品を保護するためのバリアー層を設けてもよい。このバリアー層としては、例えば、エチレン−ビニルアルコール共重合体、ポリ塩化ビニリデン、ポリ塩化ビニリデンコートポリプロピレン等を使用することができる。
【００１６】
上記の樹脂フィルムを成形して形成された物品収納部２０の熱融着部２１を台紙１０に熱融着させるためのシール層は、特に配設する必要はないが、所望により、例えば、ポリエチレン樹脂、ポリプロピレン樹脂、エチレン−プロピレン共重合体、アイオノマー樹脂、塩化ビニル−酢酸ビニル共重合体、アクリル酸樹脂、メタクリル酸樹脂、エチレン−アクリル酸共重合体、エチレン−メタクリル共重合体、エチレン−アクリル酸エステル共重合体、エチレン−メタクリル酸エステル共重合体、ポリアクリロニトリル、非晶性ポリエステル、エチレン−酢酸ビニル共重合体等の単体ないし複合体をシール層として配設してもよい。
【産業上の利用可能性】
【００１７】
本発明の包装体は、化粧品、薬品、食品、洗剤、ヘアケア製品等の商品である物品を収納する包装体として好適に用いられる。
【図面の簡単な説明】
【００１８】
【図１】従来の包装体の一例を示す側面模式図及び背面模式図である。
【図２】従来の包装体の一例を示す斜め上から見た斜視模式図である。
【図３】本発明の包装体の一態様を示す側面模式図及び背面模式図である。
【図４】本発明の包装体の一態様を示す斜め上から見た斜視模式図である。
【符号の説明】
【００１９】
１：包装体
１０：台紙
１１：貫通孔
１２：補強手段
２０：物品収納部
２１：熱融着部
【図１】
2008127064.tif 000003
【図２】
2008127064.tif 000004
【図３】
2008127064.tif 000005
【図４】
2008127064.tif 000006